(57)【要約】【課題】内燃機関用点火コイルに組み付けられた状態であっても、容易かつ迅速に固有情報を識別することができるイグナイタを提供する。【解決手段】固有情報を内燃機関用点火コイルの外部からリーダによって非接触にて読み取り可能としたＩＣタグ１０を、イグナイタ１を構成する一チップ４に集積した回路素子３の、ガラスなどの絶縁体層５により電気的に分離された区画に併設した。【選択図】図１
2008309061.tif 000002
【特許請求の範囲】
【請求項１】
内燃機関用点火コイルにおける、回路素子と固有情報とを備えたイグナイタであって、
前記固有情報を前記内燃機関用点火コイルの外部から非接触にて読み取り可能としたことを特徴とするイグナイタ。
【請求項２】
請求項１に記載のイグナイタにおいて、
前記固有情報をＩＣタグに記憶させたことを特徴とするイグナイタ。
【請求項３】
請求項２に記載のイグナイタにおいて、
前記回路素子を一チップに集積し、この一チップ上に前記ＩＣタグを併設したことを特徴とするイグナイタ。
【発明の詳細な説明】
【技術分野】
【０００１】
本発明は、自動車等の内燃機関点火コイルに内蔵されるイグナイタに関し、特に、内燃機関用点火コイルに組み付けられた状態であっても、容易かつ迅速に固有情報を識別することができるイグナイタに関する。
【背景技術】
【０００２】
図３に示す通り、自動車等の内燃機関点火コイルにおけるイグナイタ１は、一般に、絶縁ケース内に点火コイルとともに収容され、エンジンコントロールユニットから出力される点火信号に応じ、点火コイルに流れる一次電流を通電、遮断制御している。そして、内燃機関用点火コイルの用途や機能ごとに異なる種類が採用される可能性があるので、誤った種類の組み付けを防止するため、外装樹脂表面２に、形式、ロット番号、付加機能、製造履歴などの固有情報が付されている。
【特許文献１】特開２００２−４８０４４号公報
【０００３】
一方、集積回路に固有情報を記憶させ、この固有情報をリーダが発生する電波をエネルギー源に反射波に乗せて伝達する、パッシブ型のＩＣタグが最近、一般に普及している。
【発明の開示】
【発明が解決しようとする課題】
【０００４】
従来のイグナイタは、絶縁ケース内に絶縁樹脂が充填されて内燃機関用点火コイルに組み付けられると、絶縁樹脂中に埋没するので、イグナイタ１の外装樹脂表面２に付された形式、ロット番号、付加機能、製造履歴などの固有情報を視覚により確認する手段が無くなる。そこで、予定通りの種類を正確に絶縁ケース内に収容したか否かを、電気的特性により組み付け後に確認している現状であるが、この特性にバラツキが多い場合、その種類を特定することができないという問題があった。特に、イグナイタ１が故障して製造履歴を確認しなければならない状況では、内燃機関用点火コイルをばらして、外装樹脂表面２の固有情報を確認するほかないという問題があった。
【０００５】
本発明は、上記実情に鑑みて提案されたもので、イグナイタの形式、ロット番号、付加機能、製造履歴などの固有情報を、内燃機関用点火コイルの外部から読み取りができるようにして、内燃機関用点火コイルに組み付けられた状態でも、容易かつ迅速に識別することができるイグナイタを提供することを目的とする。
【課題を解決するための手段】
【０００６】
本発明に係るイグナイタは、上記目的を達成するために、内燃機関用点火コイルにおける、回路素子と固有情報とを備えたイグナイタであって、前記固有情報を前記内燃機関用点火コイルの外部から非接触にて読み取り可能としたことを特徴とする。
【０００７】
そして、上記イグナイタにおける固有情報は、ＩＣタグに記憶させることが好ましい。
【０００８】
特に、上記イグナイタにおいて、回路素子を一チップに集積し、この一チップ上にＩＣタグを併設することが、さらに好ましい。
【発明の効果】
【０００９】
本発明では、イグナイタの固有情報を内燃機関用点火コイルの外部から非接触にて読み取り可能としたので、イグナイタが内燃機関用点火コイルに組み付けられた状態でも、イグナイタの固有情報を容易かつ迅速に識別することができるため、組み付け後の電気的特性による確認作業を不要としてもイグナイタの種類を特定することができ、誤った組み付けを防止することができて、かつ、イグナイタの故障時にも内燃機関用点火コイルをばらさずに製造履歴などを確認することができる。
【００１０】
特に、イグナイタの固有情報をＩＣタグに記憶させたので、内燃機関用点火コイルの外部にリーダを近づけるだけで、イグナイタが内燃機関用点火コイルに組み付けられた状態でも、イグナイタの固有情報を容易かつ迅速に識別することができるため、組み付け後に電気的特性による確認作業を不要としてもイグナイタの種類を特定することができ、誤った組み付けを防止することができて、かつ、イグナイタの故障時にも内燃機関用点火コイルをばらさずに製造履歴などを確認することができる。
【００１１】
また、イグナイタの固有情報を記憶したＩＣタグを、回路素子とともに一チップ上に併設したので、イグナイタを嵩張らずに構成することができるため、従来から内燃機関用点火コイルに要求されている小型化に影響を及ぼすことなく、イグナイタの形式、ロット番号、付加機能、製造履歴などの固有情報を内燃機関用点火コイルの外部から非接触にて、容易かつ迅速に識別することができるイグナイタを提供することができる。
【発明を実施するための最良の形態】
【００１２】
以下、この発明の実施形態を図面に基づいて説明する。
図１は、本発明に係るイグナイタの一実施形態を示し、説明のため、イグナイタの外装樹脂表面を透明にして表した概略斜視図、図２は、図１における本発明に係るイグナイタの要部拡大図である。なお、図３に従来例として示した部分と同一又は相当部分には、同一符号を付して説明を省略する。
【００１３】
本発明に係るイグナイタ１は、図１および図２に示す通り、内燃機関用点火コイルにおける、回路素子３と固有情報が記憶されたＩＣタグ１０とを備えたイグナイタ１であって、内燃機関用点火コイルの外部からリーダによって非接触にて読み取り可能としたことを特徴とする。特に、イグナイタ１は、回路素子３が一チップ４に集積されていて、この一チップ４上に固有情報が記憶されたＩＣタグ１０が併設されている。
【００１４】
具体的には、イグナイタ１の回路素子３が構成されたチップ４の表面に、例えば、ガラスなどの絶縁体層５により電気的に分離された区画が設けられ、この絶縁体層５上に固有情報を記憶させたＩＣタグ１０が配設されている。なお、ＩＣタグ１０は、集積回路１１およびアンテナ１２を備え、集積回路１１にイグナイタ１の固有情報が記憶されている。また、ＩＣタグ１０に記憶されるイグナイタ１の固有情報は、従来のイグナイタ１の外装樹脂表面２に付されている、例えば、形式、ロット番号、付加機能、製造履歴などのほか、その他、識別管理に関する有用な多種多様の情報、例えば、寿命に関する情報などを含ませることもできる。
【００１５】
ここで、本発明に係るイグナイタ１の固有情報を、内燃機関用点火コイルの外部から非接触にて読み取る仕組みについて説明する。
例えば、本発明に係るイグナイタ１を組み付けた内燃機関用点火コイルの外部に、リーダを近づけると、イグナイタ１のＩＣタグ１０のアンテナ１２がリーダの発する電波に反応し、この電波をエネルギー源に、集積回路１１に記憶されたイグナイタ１の固有情報を反射波に乗せて、内燃機関用点火コイルの外部のリーダに伝達する。そうすると、例えば、リーダの画面表示部に、イグナイタ１のＩＣタグ１０に記憶された固有情報の一覧が表示され、したがって、イグナイタ１が内燃機関用点火コイルに組み付けられた状態でも、内燃機関用点火コイルの外部から、イグナイタ１の固有情報を容易かつ迅速に識別することができる。
【００１６】
なお、ＩＣタグ１０は、リーダからの電波を受けることがない限り、動作することがなく、さらに、イグナイタ１の回路素子３に対して、絶縁体層５により電気的に独立して配設されているので、回路素子３に悪影響を及ぼすこともない。
【００１７】
したがって、本発明に係るイグナイタ１は、固有情報をＩＣタグ１０に記憶させたので、イグナイタ１が内燃機関用点火コイルに組み付けられた状態でも、イグナイタ１の固有情報を容易かつ迅速に識別することができ、組み付け後の電気的特性による確認作業を不要としてもイグナイタ１の種類を特定することができ、誤った組み付けを防止することができて、かつ、イグナイタ１の故障時にも内燃機関用点火コイルをばらさずに製造履歴を確認することができる。さらに、このＩＣタグ１０を回路素子３とともに一チップ４上に併設したので、イグナイタ１を嵩張らずに構成することも可能となる。
【００１８】
ここで、本発明に係るイグナイタは、組み付られた内燃機関用点火コイルの外部から固有情報を読み取ることができる限り、上述したように固有情報をＩＣタグに記憶させることに限定されない。また、固有情報の伝達に電波を利用したが、その他の無線を使ってリーダに伝達して読み取らせる手段であっても、本発明に係る効果を得ることができる。すなわち、本発明は、イグナイタの固有情報を内燃機関用点火コイルの外部から、非接触にて読み取ることができる手段である限り、任意の手段を採用することができる。
【００１９】
以上、本発明の実施形態を詳述したが、本発明は、特許請求の範囲に記載された事項を逸脱することがなければ、上記実施形態に限定されることなく、種々の設計変更を行うことが可能である。
【図面の簡単な説明】
【００２０】
【図１】本発明に係るイグナイタの一実施形態を示し、説明のため、イグナイタの外装樹脂表面を透明にして表した概略斜視図である。
【図２】図１における本発明に係るイグナイタの要部拡大図である。
【図３】従来のイグナイタに係る概略正面図である。
【符号の説明】
【００２１】
１      イグナイタ
２      外装樹脂表面
３      回路素子
４      チップ
５      絶縁体層
１０    ＩＣタグ
１１    集積回路
１２    アンテナ
【図１】
2008309061.tif 000003
【図２】
2008309061.tif 000004
【図３】
2008309061.tif 000005